(57)【要約】      （修正有）【課題】安定性があり、装着者の負担を軽減し、且つ疲労回復機能を持ち、乳幼児の抱き下ろしが容易で折畳んで持ち運ぶことのできる乳幼児用の抱っこ紐を提供する。【解決手段】本考案抱っこ紐は装着者の腹側および背側に長さを考慮して交差部が形成されるように縫製により固定した２本の１０ｃｍ〜１５ｃｍ幅の環状の帯部材１及び２と、腹側交差部３の上部近傍に帯部材１または２の製法により固定し他方の帯部材と重なる部分には面ファスナーを縫製により接着した乳幼児の背面に支える背当て部５から成り、肩に当たる帯部材の幅を広くして設けた６と７のダーツにより乳幼児の荷重によって帯部材が首方向に寄ってしまうことを防止し、８と９に形成されたポケットに硬質の玉を入れて乳幼児を抱くことで乳幼児の重荷で硬質の玉に負荷がかかって指圧の効果を得られ、３と４の交差部を中心に１０及び１１から畳んでいって１２と１３を隙間に差し込み、折畳んだ状態が保たれる。【選択図】図２
0003138065.tif 000002
【実用新案登録請求の範囲】
【請求項１】
乳幼児用の抱っこ紐であり、２本の環状の帯部材を略直角に交差させて固着し、装着者の腹側及び背側の交差部とし、腹側の交差部の近傍には乳幼児の背面を支える背当て部を備え、２本の帯部材の肩に当たる部分にはダーツを備えたズレ防止部を設けたことを特徴とする抱っこ紐。
【請求項２】
前記抱っこ紐においてズレ防止部は、帯部材の他の部分よりも幅を広くしたことを特徴とする請求項１に記載の抱っこ紐。
【請求項３】
前記抱っこ紐において帯部材は、装着者の肩に当たる部分のそれぞれ内面側にポケットを設けたことを特徴とする、請求項１または請求項２に記載の抱っこ紐。
【請求項４】
前記抱っこ紐において背当て部は、片側を２本の環状の帯部材の一方に固定し、背当て部の他方の側は他方の環状の帯部材と重なる部分を面ファスナーにより脱着可能としたことを特徴とする、請求項１ないし請求項３のいずれかに記載の抱っこ紐。
【請求項５】
前記抱っこ紐において帯部材は背側及び腹側の交差部の上部よりも下部の帯部材の方が短いことを特徴とする請求項１ないし請求項４のいずれかに記載の抱っこ紐。
【考案の詳細な説明】
【技術分野】
【０００１】
本考案は、乳幼児を抱くための抱っこ紐の形状に関する。
【背景技術】
【０００２】
従来の抱っこ紐の形状は、バックル等の留具による固定箇所が多数あり、構造が複雑で装着に手間がかかる他、本体がかさばるものが多く、より軽量で持ち運びに便利な安定性のあるものを求める声もある。
【０００３】
そのような中、バックル等の留具を必要としない、２本の幅広の帯を環状にして組み合わせて交差部を縫製により固定した抱っこ紐が提案されている。しかしこれは幅が広くても乳幼児の荷重で左右の帯部材が首方向に寄っていき、装着者の負担になるという声もある。
【考案の開示】
【考案が解決しようとする課題】
【０００４】
本考案は前記事情を考慮してなされたもので、左右の帯部材が首方向に寄ってしまうのを防ぎ、装着者の負担を軽減する。又、軽量且つ装脱着が容易で折畳んで持ち運ぶことができる乳幼児用の折畳式抱っこ紐を提供することを課題とする。更に装着者の肩の疲労改善も課題の一つである。
【課題を解決するための手段】
【０００５】
この第１の考案に基づいた抱っこ紐は、２本の環状の帯部材を略直角に交差させて固着し、装着者の腹側及び背側の交差部とし、腹側の交差部の近傍には乳幼児の背面を支える背当て部を備え、２本の帯部材の肩に当たる部分にはダーツを備えたズレ防止部を設けたことを特徴とする抱っこ紐。
第２の考案は、抱っこ紐においてズレ防止部の幅を、帯部材の他の部分よりも広くしたことを特徴とする第１の考案の抱っこ紐。
第３の考案は、前記抱っこ紐において帯部材の装着者の肩に当たる部分のそれぞれ内面側に硬質の玉を入れるポケットを設けたことを特徴とする、第１の考案または第２の考案のいずれかに記載の抱っこ紐。
第４の考案は、前記抱っこ紐において背当て部の片側を２本の環状の帯部材の一方に固定し、背当て部の他方の側と他方の環状の帯部材とが重なる部分を面ファスナーにより脱着可能としたことを特徴とする、第１の考案ないし第３の考案のいずれかに記載の抱っこ紐。第５の考案は、前記抱っこ紐において帯部材の背側及び腹側の交差部の上部よりも下部の帯部材の方が短いことを特徴とする第１の考案ないし第４の考案のいずれかに記載の抱っこ紐。
【考案の効果】
【０００６】
本考案の抱っこ紐は左右の帯部材の肩に当たる部分の外側にダーツをとることによって肩の丸みに沿って鍵状になり、乳幼児の荷重で首方向に寄ってしまうのを防ぎ、装脱着が容易かつ乳幼児の抱き下ろしも楽であり、寝ている子供を起こすことなく抱き下ろしができる。子供の体勢にも負担がなく、抱っこ紐本体のみで畳んだ状態を保持できるので軽量で持ち運びに便利である。素材が綿・麻やそれらのキルティング等の布製なので、家庭で容易に洗えて清潔を保てる。
また、帯部材の幅を広くしたり、帯部材の装着者の肩に当たる部分の内面側に設けたポケットに硬質の玉を入れることにより、乳幼児の荷重で指圧になり疲労を回復する助けになる。また、帯部材にポケットを形成することができ、ガーゼハンカチ等を収納することができる。そのポケットを比翼仕立てにすれば見た目のすっきり感を保てる。また、帯部材に輪状の引っ掛け部が形成されていて、乳幼児用のおしゃぶりや玩具を取り付けることができる。
【考案を実施するための最良の形態】
【０００７】
本考案の抱っこ紐の正面と背面から見た図を図１及び図２に示す。２本の環状の帯部材は、左肩帯部材１と右肩帯部材２から成り、この２本の帯部材は略直角に交差しており、２箇所の腹側交差部３と背側交差部４は縫製により固定されている。交差部３において乳幼児の臀部が支えられ、背当て部５を設けることにより、乳幼児の背面を支えられる。
【０００８】
前記左肩帯部材１と右肩帯部材２の装着時に装着者の肩に当たる部分であるズレ防止部６と７は、帯幅を広げて外側になる部分にダーツを設けて丸みをつけることにより装着者の肩を包むように仕立ててある。これによって乳幼児の荷重による首方向への帯部材の寄りを防ぎ、装着者への負担を軽減する。
【０００９】
前記左肩帯部材１と右肩帯部材２の背側交差部４の帯部材の上部である肩に当たる部分の内面側には硬質の玉を収納するポケット８と９を形成することができる。このポケット８と９に硬質の玉を入れると乳幼児の荷重で硬質の玉が押され、装着者の肩への指圧の効果となる。硬質の玉は数や位置が調節できる。
【００１０】
左肩帯部材１と右肩帯部材２の交差部３と４は、単に中心であわせるのではなく、装着者の背側交差部と乳幼児の座部の位置関係を考慮し、前記左肩帯部材１と右肩帯部材２の背及び腹側の交差部３と４は、腹または背側の交差部３と４から右肩または左肩を経由して背側または腹側３と４の交差部に至る経路より、腹側または背側の交差点３と４から右脇または左脇の下を経由して背側または腹側の交差部３と４に至る経路が短くなる位置で縫製することにより、装着者の首肩廻りを締め付けないので負担が軽減される。
【００１１】
前記各帯部材には１５のようにポケットを形成することができ、ガーゼ等を収納することができる。そのポケットを比翼仕立てにすれば一見ポケットに見えず、シンプルなデザインを保てる。
【００１２】
前記各帯部材には輪状の引っ掛け部１４を形成し、乳幼児用のおしゃぶりや玩具を付けることができる。
【００１３】
前記抱っこ紐の材質は特に限定されないが、厚手の綿麻素材や綿布にキルティング加工を施した布地等が望ましい。
【００１４】
前記抱っこ紐は、左肩帯部材１と右肩帯部材２の交差部３と４を重ね、その交差部を中心に各肩部材の下部１０．１１から順に折り畳んでいき、最後に各肩部材の上部１２．１３を差し込むことにより、本体のみでコンパクトに折畳んだ状態を保持することができる。
【００１５】
前記抱っこ紐は、帯部材の長さを変えてサイズを揃えることで装着者の多様な体形に対応することができる。
【実施例】
【００１６】
図１及び図２に示すように、本考案の抱っこ紐は左肩帯部材１と右肩帯部材２と、背当て部５から構成されている。
【００１７】
本考案の抱っこ紐は、帯部材の素材として綿布を用いた。そしてズレ防止部は幅を４０ｍｍ広くし、ダーツは５０ｍｍ間隔で４０ｍｍの長さのものを設けた。
【００１８】
帯部材１と２は、それぞれ１本の帯体が環状になっており、左肩帯部材１と右肩帯部材２が交差部３と４でそれぞれ縫製により固定されている。
【００１９】
腹側交差部３の近傍である上部のVゾーンには乳幼児の背面を支える背当て部５が構成され、左肩帯部材１と右肩帯部材２のどちらかに縫製により固定されて(右利きの方には左肩帯部材１に固定するのが好ましい)他方の帯部材と重なる部分に縫製により接着した面ファスナーを開閉して、図６のように抱き下ろしする。
【００２０】
ポケット８と９は装着者の肩に当たる部分の内側に位置し、中に硬質の玉(ビー玉等)を収納することで乳幼児を抱っこした際に乳幼児の荷重で硬質の玉に負荷がかかり、指圧の効果となった。硬質の玉は好みで数や位置を調節することができる。指圧は長時間同じところをし続けると血管を圧迫してしまうので、疲れた時の一時的なマッサージという感覚で短時間行うのが好ましい。
【００２１】
帯部材１と２にはポケット１５を形成することが出来、乳幼児に必要なガーゼ等を収納することができる。更にポケット１５を比翼仕立てにすれば一見ポケットがあるようには見えず、シンプルなデザインを保つことができる。乳幼児を抱っこした様子の正面から見た図を図３に、背面から見た図を図４にそれぞれ示す。
【００２２】
折畳式抱っこ紐の畳み方について説明する。前記抱っこ紐は図５に示すようにして折り畳むことができる。
１  交差部３と４を重ね、背側交差部４が上面になるように置く。
２  前記の重なり合ってできた４角の辺に沿わせて１０を折り上げる。
３  前記と同様にして１１を折り上げる。
４  交互になるように１３を折り下げ、
５  前記に続き１２を折り下げる。
６  ひっくり返して１２と１３をポケット状に空いた層に差し込む。
７  折畳み完成。
【００２３】
抱っこ紐の使い方について、その一例を図６に従って説明する。まず、抱っこする場合は次のステップで行う。
１  抱っこ紐の正面を前にして装着し、帯部材の内側から背当て部の上に手を出す。
２  寝ている乳幼児の足をそっと持つ。
３  装着者の左右帯部材の脇の輪に乳幼児の足を入れる。
４  乳幼児のおしりを軽く持ち上げ、乳幼児の背中を背当て部の上に乗せる。
５  乳幼児の頭から背面をしっかり手で支えてゆっくり立ち上がる。
６  装着者の左右の肩にズレ防止部をしっかりかける。
次に乳幼児を下ろす場合のステップを説明する。
７  乳幼児を抱っこしたままゆっくりしゃがむ。
８  抱っこ紐ごと乳幼児を布団の上に寝かせる。
９  乳幼児のお尻を持ち上げ、そっと抱っこ紐から出す。
１０乳幼児を起こさずに寝かせられた状態。
【図面の簡単な説明】
【００２４】
【図１】本考案抱っこ紐の正面から見た模式図である。
【図２】本考案抱っこ紐の背面から見た模式図である。
【図３】本考案抱っこ紐の正面から見た着装時の模式図である。
【図４】本考案抱っこ紐の背面から見た着装時の模式図である。
【図５】本考案抱っこ紐の折畳み方法を説明する模式図である。
【図６】本考案抱っこ紐での乳幼児の抱き下ろし方法を説明する模式図である。
【符号の説明】
【００２５】
１    左肩帯部材
２    右肩帯部材
３    腹側交差部
４    背側交差部
５    背当て部
６    左肩ズレ防止部
７    右肩ズレ防止部
８    左肩ポケット
９    右肩ポケット
１０  左肩帯部材下部
１１  右肩帯部材下部
１２  右肩帯部材上部
１３  左肩帯部材上部
１４  引っ掛け部
１５  ポケット
【図１】
0003138065.tif 000003
【図２】
0003138065.tif 000004
【図３】
0003138065.tif 000005
【図４】
0003138065.tif 000006
【図５】
0003138065.tif 000007
【図６】
0003138065.tif 000008